(57)【要約】【課題】基礎となる軸の支承および位置合わせを高精度で保証しつつ、正しい機能に必要な予圧力が生成されること。【解決手段】軸（３２）と、前記軸（３２）をハウジング（４０、５０）上またはハウジング内に支承および位置合わせするために構成された、少なくとも第１のベアリング（３３）および第２のベアリング（３４）と、予圧および／または減衰ベアリングとして、前記軸（３２）を軸方向に予圧し、および／または機械的振動を減衰させるために設定されたさらなる第３のベアリング（３６）とを備えた、作業装置（１）、車両（１’）、自転車、電動自転車、イーバイク、ペデレックおよび／またはエスペデレックのための軸配置（３０）。【選択図】図１
2020172258.tif 000002
【特許請求の範囲】
【請求項１】
−  軸（３２）と、
−  前記軸（３２）をハウジング（４０、５０）上またはハウジング内に支承および位置合わせするために構成された、少なくとも第１のベアリング（３３）および第２のベアリング（３４）と、
−  予圧および／または減衰ベアリングとして、前記軸（３２）を軸方向に予圧し、および／または機械的振動を減衰させるために設定されたさらなる第３のベアリング（３６）とを備えた、
作業装置（１）、車両（１’）、自転車、電動自転車、イーバイク、ペデレックおよび／またはエスペデレックのための軸配置（３０）。
【請求項２】
前記第３のベアリング（３６）が、特に前記軸（３２）に対して端部に位置する固定ベアリングとして、および／またはハウジング（４０、５０）上またはハウジング内に取り付けるために構成されている、請求項１に記載の軸配置（３０）。
【請求項３】
前記第３のベアリング（３６）が、前記軸（３２）を予圧するために支持リング（３８）および／またはローラーベアリング（３７）、特にボールベアリングまたは深溝ボールベアリングを有する、請求項１または２のいずれか一項に記載の軸配置（３０）。
【請求項４】
前記第３のベアリング（３６）が、前記軸（３２）の機械的振動を減衰させるために、減衰要素（３９）、特に前記軸（３２）の一端（３２−１）を、間接的または直接的に軸方向に囲む、弾性および／または減衰材料を用いた、または弾性および／または減衰材料からなる弾性要素として有する、請求項１から３のいずれか一項に記載の軸配置（３０）。
【請求項５】
前記第１のベアリング（３３）が、前記軸（３２）に対して端部に位置する浮動ベアリングとして、および／または前記第２のベアリング（３４）が、前記軸（３２）に対して非端部の、特に中間に位置する固定ベアリングとして構成されている、請求項１から４のいずれか一項に記載の軸配置（３０）。
【請求項６】
それぞれの軸（３２）が、モータ動力で、特に追加的に筋力で駆動可能な作業装置（１）、車両（１’）、自転車、電動自転車、イーバイク、ペデレックおよび／またはエスペデレックの、伝動装置（２０）の軸として、および／または駆動部（８０）の軸として、電気駆動部（３）のロータ（３１）、伝動装置（２０）および／または駆動ユニット（８０）のロータ軸として構成されている、請求項１から５のいずれか一項に記載の軸配置（３０）。
【請求項７】
−  モータ（３）と、
−  伝動装置（２０）と、
−  その内部（４０ｉ、５０ｉ）で前記モータ（３）および／または前記伝動装置（２０）が少なくとも部分的に収容され、および／または支承されているハウジング（４０、５０）と、
を備え、
前記伝動装置（２０）および／または前記モータ（３）が、請求項１から６のいずれか一項にかかる軸配置（３０）を備えた軸を有する、
モータ動力で、特に追加的に筋力で駆動可能な作業装置（１）、車両（１’）、自転車、電動自転車、イーバイク、ペデレックおよび／またはエスペデレックの駆動ユニット（８０）。
【請求項８】
請求項７にかかる駆動ユニット（８０）と、前記駆動ユニット（８０）を制御するために設定された制御ユニット（１０）とを備えた、筋力で、追加的にモータ動力で駆動可能な作業装置（１）、車両（１’）、自転車、電動自転車、イーバイク、ペデレックおよび／またはエスペデレック。
【発明の詳細な説明】
【技術分野】
【０００１】
本発明は、軸配置、駆動ユニットおよび作業装置に関する。本発明は、特に、作業装置、車両、自転車、電動自転車、イーバイク、ペデレックおよび／またはエスペデレックのための軸配置と、モータ動力で、特に追加的に筋力で駆動可能な作業装置、車両、自転車、電動自転車、イーバイク、ペデレックおよび／またはエスペデレックのための駆動ユニットと、車両、自転車、電動自転車、イーバイク、ペデレックおよび／またはエスペデレック自体とに関する。
【背景技術】
【０００２】
多くの作業装置は、モータを含む駆動ユニットを使用して駆動される。ここで、モータまたはその部品および／または基礎となる伝動装置のコンポーネントは、対応する作動部品を外部に対して保護し、それらの保持および支承を保証し、場合によっては閉じられた潤滑室を画定するために、少なくとも部分的にハウジング上に、またはハウジング内にある。対応する軸の従来の配置では、一方では、対応して設けられたベアリングによって、基礎となる軸の支承および位置合わせを高精度で保証する必要があり、他方では、従来では正確な機能のためにそれぞれの軸を軸方向に予圧する必要があるという問題がある。さらに、軸の動きから外部への機械的振動の伝達は可能な限り回避する必要がある。これらの付帯条件の全ては、従来満たすことが難しく、少なくとも構造の複雑性が高くなる。
【発明の概要】
【０００３】
これに対し、請求項１の特徴を備えた本発明にかかる軸配置は、一方で、基礎となる軸の支承および位置合わせを、負荷がかかった状態でも高精度で保証でき、他方で、正しい機能に必要な予圧力が、誘発振動を抑制するためにおよび／または抑制する際に生成され加えられるという利点を有する。これは、請求項１の特徴を有する本発明により、軸と、軸をハウジング上またはハウジング内に支承および位置合わせするために構成された、少なくとも第１のベアリングおよび第２のベアリングと、予圧および／または減衰ベアリングとして、軸を軸方向に予圧し、および／または機械的振動に対して特に外側に向かって減衰させるために設定されたさらなる第３のベアリングと、を備えて構成された作業装置、車両、自転車、電動自転車、イーバイク、ペデレックおよび／またはエスペデレックのための軸配置によって達成される。
【０００４】
従属請求項は、本発明の好ましい展開形態を示している。
本発明にかかる軸配置の好ましい実施形態によれば、第３のベアリングは、特に軸に対して端部に位置する固定ベアリングとして、および／またはハウジング上またはハウジング内に取り付けるために構成することができる。
【０００５】
また、追加的にまたは代替的に、第３のベアリングは軸を予圧するために支持リングおよび／またはローラーベアリングを有することができ、後者は、特にボールベアリングまたは深溝ボールベアリングとして構成されている。本発明にかかる源配置のさらなる好ましい実施例によれば、第３のベアリングは、軸の機械的振動を減衰させるための減衰要素を有する。
【０００６】
これは、例えば、特に弾性および／または減衰材料を用いて、好ましくはエラストマーもしくはエラストマー発泡体などを用いて、またはエラストマーもしくはエラストマー発泡体などから、軸の一端を間接的または直接的に軸方向に囲む弾性要素として構成することができる。
【０００７】
本発明にかかる軸配置の他の好ましい展開形態では、第１のベアリングは、軸に対して端部に位置する浮動ベアリングとして、および／または第２のベアリングは、軸に対して非端部の、中間に位置する固定ベアリングとして構成されている。
【０００８】
本発明にかかる軸配置の別の好ましい展開形態によれば、それぞれの軸は、モータ動力で、特に追加的に筋力で駆動可能な作業装置、車両、自転車、電動自転車、イーバイク、ペデレックおよび／またはエスペデレックの、伝動装置の軸および／または駆動部の軸として、電気駆動部のロータ、伝動装置および／または駆動ユニットのロータ軸として構成されている。
【０００９】
本発明の他の態様によれば、モータ動力で、特に追加的に筋力で駆動可能な作業装置、車両、自転車、電動自転車、イーバイク、ペデレックおよび／またはエスペデレック自体のための作業装置の駆動ユニットも提供される。これは、モータと、伝動装置と、その内部でモータおよび／または伝動装置が少なくとも部分的に収容され、および／または支承されているハウジングとを備えて構成され、伝動装置および／またはモータは、本発明によって構成された軸配置を備えた軸を有する。
【００１０】
また、他の態様によれば、本発明は、モータ動力で、場合によって追加的に筋力で駆動可能な作業装置、車両、自転車、電動自転車、イーバイク、ペデレックおよび／またはエスペデレックに関する。作業装置は、本発明によって構成された駆動ユニットと、駆動ユニットを制御するために設定された制御ユニットとを備えて構成されている。
【００１１】
添付の図面を参照して、本発明の実施形態を詳述する。
【図面の簡単な説明】
【００１２】
【図１】本発明の実施形態が実現される電動自転車としての車両の例の概略図である。
【図２】本発明にかかる駆動ユニットの実施形態における、本発明にかかる軸配置の実施形態を、概略部分断面図および／または斜視図で示す。
【図３】本発明にかかる駆動ユニットの実施形態における、本発明にかかる軸配置の実施形態を、概略部分断面図および／または斜視図で示す。
【図４】本発明にかかる駆動ユニットの実施形態における、本発明にかかる軸配置の実施形態を、概略部分断面図および／または斜視図で示す。
【図５】本発明にかかる駆動ユニットの実施形態における、本発明にかかる軸配置の実施形態を、概略部分断面図および／または斜視図で示す。
【発明を実施するための形態】
【００１３】
本発明の実施例および技術的背景を、図１から図５を参照して以下に詳述する。同じおよび同等の、ならびに同じまたは同等作用の要素およびコンポーネントには、同じ参照番号を付す。指定された要素およびコンポーネントの詳細な説明は、出現する全ての場合に再現されているわけではない。
【００１４】
示された特徴およびさらなる特性は、任意の形態で互いに分離することができ、本発明の核心を離れることなく、任意に互いに組み合わせることができる。
まず、例えば本発明にかかる作業装置１の好ましい実施形態である電動自転車１’を、図１を参照して詳述する。
【００１５】
車両１は、電動自転車として、前輪９−１、後輪９−２、およびペダル７−１および８−１を有する２つのクランク７、８を備えたクランク駆動部２が配置されたフレーム１２を含む。電気駆動部３またはモータは、クランク駆動部２に組み込まれている。後輪９−２にはピニオン６が配置されている。
【００１６】
運転者および／または電気駆動部３によって提供される駆動トルクは、クランク駆動部２のチェーンリング４からチェーン５を介してピニオン６に伝達される。
また、車両１のハンドルには、場合によって構成された電気駆動部３に接続された、本発明によって構成および設定された制御ユニット１０が配置されている。また、フレーム１２内またはフレーム１２上には、電気駆動部３に電力供給するために使用されるバッテリー１１が構成されている。
【００１７】
フレーム１２には、クランクケース１４およびクランク軸１５を有するクランクベアリング１３またはボトムブラケットが組み込まれている。
図１からの本発明にかかる車両１の駆動ユニット８０は、クランク駆動部２および電気駆動部３またはモータを有し、運転者の筋力によって加えられるトルクを支持するための、後者によって生成可能なまたは生成されるトルクを、図１に明示的に図示されない対応する伝達装置を介して受容でき、出力要素４としてのチェーンリングに伝達できる。
【００１８】
制御ユニット１０は、運転者の筋力によって加えられるトルクを支持するために、駆動部８０によって生成され、特に車両１のクランク軸の意味での被駆動軸１５に加えることができる、および／または加えられるモータトルクを制御および／または調整するように設定されている。
【００１９】
すでに上で詳述したように、本発明の核となる態様は、作業装置１、特に対応する車両１’のための軸配置３０を生成し、基礎となる駆動ユニット８０の軸３２が、例えばモータ３および／または伝動装置２０のものを、軸３２をハウジング４０、５０上またはハウジング４０、５０内に支承および位置合わせするための第１のベアリングおよび第２のベアリング３３、３４に加え、予圧および／または減衰ベアリングとして、基礎となる軸３２を軸方向に予圧し、および／または機械的振動に対して好ましくは外側に向かって、すなわちハウジング４０、５０外部で減衰させるために設定された、さらなる特に第３のベアリング３６を有することにある。
【００２０】
本発明をさらに説明するために、図２から図５は、本発明にかかる駆動ユニット８０の実施形態における、本発明にかかる軸配置３０の実施形態を、概略的な部分断面図および／または斜視図で示す。
【００２１】
ここで、図２および図３は、本発明にかかる車両１’の本発明の基礎となる駆動ユニット８０全体を、斜視図および側面図で、それぞれ部分的に断面で示す。
図２および３によれば、駆動ユニット８０は、とりわけ、電気モータによって形成され、ひいてはロータ３１およびステータ３５と、外側ハウジング４０および内側ハウジング５０とを含む電気駆動部３を有する。
【００２２】
設けられた第１および第２のベアリング３３および３４は、ハウジング４０、５０上またはハウジング４０、５０内に、本発明にかかる軸配置３０としてロータ軸３２を支承する。さらに、本発明によれば、予圧および／または減衰ベアリングとしての第３のベアリングは、支持リング３８と、ボールベアリングまたは深溝ボールベアリングの形態のローラーベアリング３７と、減衰要素３９とを備えて端部に構成されている。
【００２３】
図４および図５は、軸配置３０自体、すなわち、ロータ３１の基礎となるロータ軸３２を、斜視図または側面図およびそれぞれ部分的に断面で示しており、ロータ軸３２は、軸３２に対して端部に位置する浮動ベアリング３３としての第１のベアリングと、軸３２に対して端部になく、特に、浮動ベアリング３３の反対側の他の端部３２−１にある、略中間に位置する第２の固定ベアリング３４とに加えて、第３のベアリングとしての端部に位置する固定ベアリングを備えて、ここでは図示されていないハウジング４０、５０に支承および支持されており、または支承および支持され、第３のベアリング３６は、深溝ボールベアリング３７を備えた支持リング３８により、軸３２を予圧するために使用される。さらに、任意で、機械的振動を減衰させる減衰要素３９が形成されている。
【００２４】
本発明のこれらのおよび他の特徴および特性を、以下の記述によってさらに説明する。
市場にあるか、または他の方法で公知の駆動ユニット８０は、例えばギア軸またはロータ軸を軸方向に予圧するために、例えばばね、波形ばねなどの通常追加で設けられた弾性要素を、通常構成されている２つのベアリングの１つを介して使用する。
【００２５】
代替的な設計では、例えば、従来のベアリングの１つをエラストマースリーブに収容することができる。
現在の設計では、軸を予圧し、同時に部分的に振動を減衰させるために、軸のベアリングを使用する。
【００２６】
ばねまたは波形ばねを使用する場合、振動の減衰部は通常設けられていないため、振動は例えば減衰されない状態で、ベアリング外輪を介して伝達される。
エラストマースリーブを使用した従来の代替的な構成では、負荷がかかった状態でのベアリングの精度が制限される。
【００２７】
本発明にかかる軸配置３０の構成によって、基礎となる軸３２、例えばロータ軸またはギア軸を、誘導振動の同時低減を伴う予圧および／または減衰ベアリングとしての追加のベアリング３６を介して、的確に予圧することが可能となる。
【００２８】
これは、本発明によれば、機能の分離、（ｉ）一方では、軸３２の支承は従来設けられているベアリング３３、３４を介して実現され、（ｉｉ）他方では、軸３２の予圧および／または減衰は、新たに設けられた予圧および／または減衰ベアリング３６を介して実現されることによって達成され、したがって、負荷がかかった状態でも軸を正確に支承し、振動を外部に対して減衰できる。
【００２９】
的確に材料を選択することにより、特に共振を減衰させることができる。
予圧および／または減衰ベアリング３６の追加のベアリング箇所は、例えば以下のものから構成される。
−  ローラーベアリング３７、例えば深溝ボールベアリング、
−  端部に取り付けられている例えばエラストマー製の減衰要素３９、および／または
−  実施形態に応じて追加の支持リング３８。
【図１】
2020172258.tif 000003
【図２】
2020172258.tif 000004
【図３】
2020172258.tif 000005
【図４】
2020172258.tif 000006
【図５】
2020172258.tif 000007
【外国語明細書】
2020172258000001.pdf